(57)【要約】【課題】従来より手間を軽減し、コストを低廉化しつつ、安全性を高める。【解決手段】セキュリティシステム1は、親機2と、親機2との間で無線通信を行う子機3とを備え、親機2の状態を制御する。子機3は、身体に装着可能であり、親機2をログアウト状態とログイン状態との間で切り替えるための要求信号をユーザ操作に応じて親機2に送信する通信部33を有する。親機2は、子機3との間での無線通信の受信信号強度を測定する受信信号強度測定部230と、要求信号が受信されたときに測定される受信信号強度を閾値として記憶する子機データテーブル243と、受信信号強度測定部230に測定される受信信号強度が閾値未満になったときに親機2をログイン状態からログアウト状態に切り替え、当該受信信号強度が閾値以上になったときに親機2をログアウト状態からログイン状態に切り替えるＣＰＵ25と、を有する。【選択図】図8
2014123191.tif 000002
【特許請求の範囲】
【請求項１】
情報処理装置と、前記情報処理装置との間で無線通信を行う端末と、を備え、前記情報処理装置の状態を制御する制御システムにおいて、
前記身体装着型端末は、ユーザの身体に装着可能であるとともに、
前記情報処理装置をログアウト状態とログイン状態との間で切り替えるための切替要求信号をユーザ操作に応じて前記情報処理装置に送信する切替要求信号送信部を有し、
前記情報処理装置は、
前記身体装着型端末との間での前記無線通信の受信信号強度を測定する受信信号強度測定部と、
前記切替要求信号が受信されたときに前記受信信号強度測定部により測定される受信信号強度を切替閾値として記憶する閾値記憶部と、
前記受信信号強度測定部により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御部と、
を有することを特徴とする制御システム。
【請求項２】
請求項１記載の制御システムにおいて、
前記切替要求信号送信部は、
ユーザ操作に応じて、前記情報処理装置をログイン状態からログアウト状態に切り替えるためのログアウト切替要求信号を前記情報処理装置に送信するログアウト切替要求信号送信部と、
ユーザ操作に応じて、前記情報処理装置をログアウト状態からログイン状態に切り替えるためのログイン切替要求信号を前記情報処理装置に送信するログイン切替要求信号送信部と、
を有し、
前記閾値記憶部は、
前記ログアウト切替要求信号が受信されたときに前記受信信号強度測定部により測定される受信信号強度をログアウト用の前記切替閾値として記憶するとともに、前記ログイン切替要求信号が受信されたときに前記受信信号強度測定部により測定される受信信号強度をログイン用の前記切替閾値として記憶し、
前記ログアウト・ログイン制御部は、
前記受信信号強度測定部により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御システム。
【請求項３】
請求項２記載の制御システムにおいて、
前記閾値記憶部は、
前記情報処理装置で前記ログアウト切替要求信号が複数回受信された場合に、各ログアウト切替要求信号が受信されたときに前記受信信号強度測定部により測定される受信信号強度のうち、最小の受信信号強度を前記ログアウト用の切替閾値として記憶するとともに、
前記情報処理装置で前記ログイン切替要求信号が複数回受信された場合に、各ログイン切替要求信号が受信されたときに前記受信信号強度測定部により測定される受信信号強度のうち、最小の受信信号強度を前記ログイン用の切替閾値として記憶することを特徴とする制御システム。
【請求項４】
請求項１〜３の何れか一項に記載の制御システムにおいて、
前記情報処理装置は、
ログアウト状態からログイン状態への切り替え時に、前回のログイン状態からログアウト状態への切り替え時に実行されていた処理内容をレジュームするレジューム部を有することを特徴とする制御システム。
【請求項５】
請求項１〜４の何れか一項に記載の制御システムにおいて、
前記身体装着型端末は、
暗号キー及び復号キーを記憶するキー記憶部を有し、
前記情報処理装置は、
ファイルを記憶するファイル記憶部と、
前記身体装着型端末から送信される暗号キーを用い、ログイン状態からログアウト状態への切り替え時に、この時点で開いているファイルを暗号化して前記ファイル記憶部に記憶させる暗号化部と、
前記身体装着型端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化部と、
を有することを特徴とする制御システム。
【請求項６】
請求項１〜５の何れか一項に記載の制御システムにおいて、
前記情報処理装置は、
前記閾値記憶部に記憶された前記切替閾値を、ユーザ操作に基づいて変更する切替閾値変更部を有することを特徴とする制御システム。
【請求項７】
請求項１〜６の何れか一項に記載の制御システムにおいて、
前記情報処理装置は、
ネットワークを介してサーバと通信可能な通信部と、
前記サーバへのアクセスを行うサーバアクセスアプリケーションを実行するサーバアクセスアプリケーション実行部と、
ログアウト状態からログイン状態への切り替え時に、前記サーバアクセスアプリケーション実行部に前記サーバアクセスアプリケーションを実行させ、前記サーバに対してログインするサーバログイン制御部と、
を有することを特徴とする制御システム。
【請求項８】
情報処理装置と、前記情報処理装置との間で無線通信を行う端末と、を備えるシステムで前記情報処理装置の状態を制御する制御方法において、
前記端末として、ユーザの身体に装着可能なものを用い、
前記情報処理装置をログアウト状態とログイン状態との間で切り替えるための切替要求信号をユーザ操作に応じて前記身体装着型端末から前記情報処理装置に送信させる切替要求信号送信ステップと、
前記情報処理装置に前記身体装着型端末との間での前記無線通信の受信信号強度を測定させる受信信号強度測定ステップと、
前記情報処理装置で前記切替要求信号が受信されたときに前記受信信号強度測定ステップにより測定される受信信号強度を切替閾値として前記情報処理装置に記憶させる閾値記憶ステップと、
前記受信信号強度測定ステップにより測定される受信信号強度が前記切替閾値未満になったときに前記情報処理装置をログイン状態からログアウト状態に切り替え、当該受信信号強度が前記切替閾値以上になったときに前記情報処理装置をログアウト状態からログイン状態に切り替えるログアウト・ログイン制御ステップと、
を含むことを特徴とする制御方法。
【請求項９】
請求項８記載の制御方法において、
前記切替要求信号送信ステップは、
ユーザ操作に応じて、前記情報処理装置をログイン状態からログアウト状態に切り替えるためのログアウト切替要求信号を前記身体装着型端末から前記情報処理装置に送信させるログアウト切替要求信号送信ステップと、
ユーザ操作に応じて、前記情報処理装置をログアウト状態からログイン状態に切り替えるためのログイン切替要求信号を前記身体装着型端末から前記情報処理装置に送信させるログイン切替要求信号送信ステップと、
を有し、
前記閾値記憶ステップでは、
前記情報処理装置で前記ログアウト切替要求信号が受信されたときに前記受信信号強度測定ステップにより測定される受信信号強度をログアウト用の前記切替閾値として記憶させるとともに、前記情報処理装置で前記ログイン切替要求信号が受信されたときに前記受信信号強度測定ステップにより測定される受信信号強度をログイン用の前記切替閾値として記憶させ、
前記ログアウト・ログイン制御ステップでは、
前記受信信号強度測定ステップにより測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御方法。
【請求項１０】
請求項９記載の制御方法において、
前記閾値記憶ステップでは、
前記情報処理装置で前記ログアウト切替要求信号が複数回受信された場合に、各ログアウト切替要求信号が受信されたときに前記受信信号強度測定ステップにより測定される受信信号強度のうち、最小の受信信号強度を前記ログアウト用の切替閾値として記憶させるとともに、
前記情報処理装置で前記ログイン切替要求信号が複数回受信された場合に、各ログイン切替要求信号が受信されたときに前記受信信号強度測定ステップにより測定される受信信号強度のうち、最小の受信信号強度を前記ログイン用の切替閾値として記憶させることを特徴とする制御方法。
【請求項１１】
請求項８〜１０の何れか一項に記載の制御方法において、
前記情報処理装置のログアウト状態からログイン状態への切り替え時に、前回のログイン状態からログアウト状態への切り替え時に前記情報処理装置で実行されていた処理内容を当該情報処理装置にレジュームさせるレジュームステップを含むことを特徴とする制御方法。
【請求項１２】
請求項８〜１１の何れか一項に記載の制御方法において、
前記身体装着型端末として、
暗号キー及び復号キーを記憶するキー記憶部を有するものを用い、
前記情報処理装置として、
ファイルを記憶するファイル記憶部を有するものを用い、
前記情報処理装置に前記身体装着型端末から送信される暗号キーを使用させ、ログイン状態からログアウト状態への切り替え時に、この時点で開いているファイルを暗号化して前記ファイル記憶部に記憶させる暗号化ステップと、
前記情報処理装置に前記身体装着型端末から送信される復号キーを使用させ、ログアウト状態からログイン状態への切り替え時に、前回のログイン状態からログアウト状態への切り替え時に開いていたファイルを前記ファイル記憶部から読み出し、復号化して開かせる復号化ステップと、
を含むことを特徴とする制御方法。
【請求項１３】
請求項８〜１２の何れか一項に記載の制御方法において、
前記閾値記憶ステップで前記情報処理装置に記憶された前記切替閾値を、ユーザ操作に基づいて変更する切替閾値変更ステップを含むことを特徴とする制御方法。
【請求項１４】
情報処理装置と、前記情報処理装置との間で無線通信を行う端末と、を備えるシステムで前記情報処理装置の状態を制御する制御プログラムにおいて、
前記端末は、ユーザの身体に装着可能であり、
当該制御プログラムは、
前記身体装着型端末に、
前記情報処理装置をログアウト状態とログイン状態との間で切り替えるための切替要求信号をユーザ操作に応じて前記情報処理装置に送信する切替要求信号送信機能を実現させるとともに、
前記情報処理装置に、
前記身体装着型端末との間での前記無線通信の受信信号強度を測定する受信信号強度測定機能と、
前記切替要求信号が受信されたときに前記受信信号強度測定機能により測定される受信信号強度を切替閾値として記憶する閾値記憶機能と、
前記受信信号強度測定機能により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御機能と、
を実現させることを特徴とする制御プログラム。
【請求項１５】
請求項１４記載の制御プログラムにおいて、
前記切替要求信号送信機能は、
ユーザ操作に応じて、前記情報処理装置をログイン状態からログアウト状態に切り替えるためのログアウト切替要求信号を前記情報処理装置に送信するログアウト切替要求信号送信機能と、
ユーザ操作に応じて、前記情報処理装置をログアウト状態からログイン状態に切り替えるためのログイン切替要求信号を前記情報処理装置に送信するログイン切替要求信号送信機能と、
を有し、
前記閾値記憶機能では、
前記ログアウト切替要求信号が受信されたときに前記受信信号強度測定機能により測定される受信信号強度をログアウト用の前記切替閾値として記憶するとともに、前記ログイン切替要求信号が受信されたときに前記受信信号強度測定機能により測定される受信信号強度をログイン用の前記切替閾値として記憶する機能を前記情報処理装置に実現させ、
前記ログアウト・ログイン制御機能では、
前記受信信号強度測定機能により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替える機能を前記情報処理装置に実現させることを特徴とする制御プログラム。
【請求項１６】
請求項１５記載の制御プログラムにおいて、
前記閾値記憶機能では、
前記情報処理措置で前記ログアウト切替要求信号が複数回受信された場合に、各ログアウト切替要求信号が受信されたときに前記受信信号強度測定機能により測定される受信信号強度のうち、最小の受信信号強度を前記ログアウト用の切替閾値として記憶するとともに、
前記情報処理措置で前記ログイン切替要求信号が複数回受信された場合に、各ログイン切替要求信号が受信されたときに前記受信信号強度測定機能により測定される受信信号強度のうち、最小の受信信号強度を前記ログイン用の切替閾値として記憶する機能を前記情報処理装置に実現させることを特徴とする制御プログラム。
【請求項１７】
請求項１４〜１６の何れか一項に記載の制御プログラムにおいて、
前記情報処理装置に、
ログアウト状態からログイン状態への切り替え時に、前回のログイン状態からログアウト状態への切り替え時に前記情報処理装置で実行されていた処理内容をレジュームするレジューム機能を実現させることを特徴とする制御プログラム。
【請求項１８】
請求項１４〜１７の何れか一項に記載の制御プログラムにおいて、
前記身体装着型端末は、
暗号キー及び復号キーを記憶するキー記憶部を有し、
前記情報処理装置は、
ファイルを記憶するファイル記憶部を有し、
当該制御プログラムは、
前記情報処理装置に、
前記身体装着型端末から送信される暗号キーを用い、ログイン状態からログアウト状態への切り替え時に、この時点で開いているファイルを暗号化して前記ファイル記憶部に記憶させる暗号化機能と、
前記身体装着型端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化機能と、
を実現させることを特徴とする制御プログラム。
【請求項１９】
請求項１４〜１８の何れか一項に記載の制御プログラムにおいて、
前記情報処理装置に、
前記閾値記憶機能で前記情報処理装置に記憶された前記切替閾値を、ユーザ操作に基づいて変更する切替閾値変更機能を実現させることを特徴とする制御プログラム。
【発明の詳細な説明】
【技術分野】
【０００１】
本発明は、制御システム、制御方法及び制御プログラムに関する。
【背景技術】
【０００２】
従来、オフィス等に設置されているパソコンでアクセスや閲覧を制限するには、例えば、所定時間の経過やユーザによるログアウト操作などによってパソコンをログアウト状態にした後、以下の３つのような手法によってパソコンをログイン状態にするようになっている。
【０００３】
即ち、１つ目の手法は、ユーザにＩＤ及びパスワードを入力させてログイン認証を行う手法である。
また、２つ目の手法は、予め認証情報が記憶されたＩＣカードやＵＳＢメモリ等のハードウェアキー（ハードウェアロック、ドングル）をパソコンに接続させて認証を行う手法である。
また、３つ目の手法は、指紋や虹彩パターンなどの生体情報をユーザから取得して生体認証を行う手法である（例えば特許文献１参照）。
【先行技術文献】
【特許文献】
【０００４】
【特許文献１】特開２０１０−１５７２５３号公報
【発明の概要】
【発明が解決しようとする課題】
【０００５】
しかしながら、１つ目の手法では、ユーザがパスワードを覚えておく必要があり、その分、手間がかかってしまう。また、パスワードの入力操作を他人に覗かれたり、ユーザの言動からパスワードを見破られたりしてセキュリティが破られてしまう虞があり、安全性の向上が望まれている。
【０００６】
また、２つ目の手法では、ユーザがパスワードを覚える必要は無いものの、ハードウェアキーを所持して持ち歩く必要があるため、その分、手間がかかってしまう。また、ハードウェアキーが盗難されてセキュリティが破られてしまう虞があり、安全性の向上が望まれている。
【０００７】
また、３つ目の手法では、ユーザがパスワードを覚えたり、ハードウェアキーを所持して持ち歩いたりする必要は無いものの、生体認証を行うための認証装置が大掛かりになってコストが嵩んでしまう。
【０００８】
本発明の課題は、従来の構成より手間を軽減し、コストを低廉化しつつ、安全性を高めることのできる制御システム、制御方法及び制御プログラムを提供することである。
【課題を解決するための手段】
【０００９】
以上の課題を解決するため、本発明は、情報処理装置と、前記情報処理装置との間で無線通信を行う端末と、を備え、前記情報処理装置の状態を制御する制御システムにおいて、
前記身体装着型端末は、ユーザの身体に装着可能であるとともに、
前記情報処理装置をログアウト状態とログイン状態との間で切り替えるための切替要求信号をユーザ操作に応じて前記情報処理装置に送信する切替要求信号送信部を有し、
前記情報処理装置は、
前記身体装着型端末との間での前記無線通信の受信信号強度を測定する受信信号強度測定部と、
前記切替要求信号が受信されたときに前記受信信号強度測定部により測定される受信信号強度を切替閾値として記憶する閾値記憶部と、
前記受信信号強度測定部により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御部と、
を有することを特徴とする。
【発明の効果】
【００１０】
本発明によれば、従来の構成より手間を軽減し、コストを低廉化しつつ、安全性を高めることができる。
【図面の簡単な説明】
【００１１】
【図１】セキュリティシステムの概略構成を示すブロック図である。
【図２】信号の発信源からの距離と、受信信号強度との関係を示す図である。
【図３】子機側セキュリティ処理の流れを示すフローチャートである。
【図４】強制ログイン・ログアウト処理の流れを示すフローチャートである。
【図５】親機側セキュリティ処理の流れを示すフローチャートである。
【図６】親機側セキュリティ処理の流れを示すフローチャートである。
【図７】親機側セキュリティ処理の流れを示すフローチャートである。
【図８】（ａ）は親機と子機とが離れた状態を示す図であり、（ｂ）は親機と子機とが近づいた状態を示す図である。
【発明を実施するための形態】
【００１２】
以下、添付図面を参照して本発明に係る実施の形態の一例を詳細に説明する。ただし、発明の範囲は、図示例に限定されない。
【００１３】
［セキュリティシステムの構成］
図１は、本実施の形態におけるセキュリティシステム１の概略構成を示すブロック図である。
この図に示すように、本実施の形態におけるセキュリティシステム１は、親機２と、子機３と、サーバ４とを備えている。
【００１４】
［パソコンの構成］
親機２は、本発明における情報処理装置であり、本実施の形態においてはパソコンとなっている（後述の図８参照）。この親機２は、表示部２１と、入力部２２と、通信部２３と、記憶部２４と、ＣＰＵ２５等とを備えて構成されている。
【００１５】
表示部２１は、ディスプレイ２１０を備えており、ＣＰＵ２５から入力される表示信号に基づいて各種情報をディスプレイ２１０に表示するようになっている。このディスプレイ２１０は、タッチパネル２２１と一体的に形成されて、ユーザによるタッチ操作を受け付け可能となっているものであってもよい。
【００１６】
入力部２２は、キー群２２０や上述のタッチパネル２２１を備えており、押下されたキーの種類やタッチパネル２２１の位置に対応する信号をＣＰＵ２５に出力するようになっている。
【００１７】
通信部２３は、他の装置との間でデータ通信を行うものであり、本実施の形態においては、子機３との間で無線通信を行うとともに、ネットワークＮを介してサーバ４との間で有線通信を行うようになっている。ここで、無線通信の方式としては、例えばWi-Fi等の無線ＬＡＮや、各クラス（電波強度）のBluetooth（登録商標）、Felica（登録商標）等のＲＦＩＤによる通信方式を用いることができる。本実施の形態においては、無線通信の方式として、クラス１のBluetoothが用いられていることとして説明する。
【００１８】
この通信部２３は、無線通信の受信信号強度（ＲＳＳＩ）を測定する受信信号強度測定部２３０を有している。この受信信号強度測定部２３０としては、例えば受信電波強度インジケータなど、公知のものを用いることができる。ここで、図２に一例を示すように、無線通信の受信信号強度は、信号の発信源から遠ざかるに従って、小さくなる。
【００１９】
記憶部２４は、親機２の各種機能を実現するためのプログラムやデータを記憶するとともに、ＣＰＵ２５の作業領域として機能するメモリである。本実施の形態においては、記憶部２４は、ＩＤデータ２４０と、セキュリティプログラム２４１と、アプリケーションプログラム群２４２と、ファイル群２４４と、子機データテーブル２４３等とを記憶している。
【００２０】
ＩＤデータ２４０は、自機（親機２）のＩＤについてのデータである。
セキュリティプログラム２４１は、後述の親機側セキュリティ処理（図５〜図７参照）をＣＰＵ２５に実行させるためのプログラムである。
【００２１】
アプリケーションプログラム群２４２は、親機２で実行される複数種類のアプリケーションプログラムＰを有している。なお、本実施の形態においては、複数種類のアプリケーションプログラムＰには、サーバ４へのアクセスを行うサーバアクセスアプリケーションプログラムＰＳが含まれている。
【００２２】
ファイル群２４４は、アプリケーションプログラムＰによって作成された複数のファイルＦを有している。
【００２３】
子機データテーブル２４３は、後述の親機側セキュリティ処理（図５〜図７参照）において通信接続が可能な複数の子機３の各々に対して、種々の情報を対応付けて記憶している。具体的には、本実施の形態における子機データテーブル２４３では、子機３ごとに、当該子機３のＩＤデータ３４０と、認証データ２４３ｂと、暗号キー３４３及び復号キー３４４と、自動選択設定データ２４３ｅと、自動ログアウト条件データ２４３ｆ及び自動ログイン条件データ２４３ｇ等とが対応付けられて記憶されている。
【００２４】
このうち、認証データ２４３ｂは、ペアリング設定の認証時などに使用されるデータである。
【００２５】
また、暗号キー３４３及び復号キー３４４は、親機２内でファイルＦを暗号化、復号化するときに用いられるキーであり、後述の親機側セキュリティ処理において子機３から取得されるようになっている（図６のステップＳ３２参照）。
【００２６】
また、自動選択設定データ２４３ｅは、後述の親機側セキュリティ処理（図５〜図７参照）において、複数の子機３の各々が通信対象として自動的に選択されるか否かを示すデータであり、自動選択される子機３では「ＯＮ」に、自動選択されない子機３では「ＯＦＦ」に設定されている。なお、本実施の形態においては、自動選択が「ＯＮ」に設定される子機３は、子機データテーブル２４３における何れか１つの子機３のみとなっている。
【００２７】
また、自動ログアウト条件データ２４３ｆ及び自動ログイン条件データ２４３ｇは、後述の親機側セキュリティ処理（図５〜図７参照）において親機２を強制的にログイン状態またはログアウト状態に切り替えるために満たすべき条件を示すデータであり、本実施の形態においては、受信信号強度（ＲＳＳＩ）の閾値となっている。より具体的には、自動ログアウト条件データ２４３ｆの閾値では、この閾値よりも受信信号強度が小さくなったときに、親機２がログイン状態からログアウト状態へ切り替えられることとなる。また、自動ログイン条件データ２４３ｇの閾値では、この閾値以上に受信信号強度が大きくなったときに、親機２がログアウト状態からログイン状態へ切り替えられることとなる。
【００２８】
ＣＰＵ２５は、親機２の各部を中央制御する。具体的には、ＣＰＵ２５は、記憶部２４に記憶されているシステムプログラム及び各種アプリケーションプログラムの中から指定されたプログラムを展開し、展開されたプログラムとの協働で、各種処理を実行する。
【００２９】
［サーバの構成］
サーバ４は、通信部４０と、親機データテーブル４１と、データベース４２と、メールボックス４３等とを有している。
【００３０】
通信部４０は、ネットワークＮに接続された他の装置との間でデータ通信を行うものであり、本実施の形態においては、ネットワークＮを介して親機２との間で有線通信を行うようになっている。
【００３１】
親機データテーブル４１は、当該サーバ４に登録される親機２ごとに、種々の情報を対応付けて記憶するようになっている。具体的には、本実施の形態における親機データテーブル４１では、親機２ごとに、当該親機２のＩＤデータ２４０と、当該親機２に対してサーバ４をログイン状態にするための認証データ４１０とが対応付けられて記憶されている。
【００３２】
データベース４２は各種のデータを記憶するものであり、メールボックス４３は電子メールを記憶するものである。
【００３３】
［子機の構成］
また、子機３は、本発明における端末であり、本実施の形態においては、ユーザの手首に装着されるリスト端末となっている（後述の図８参照）。この子機３は、表示部３１と、入力部３２と、通信部３３と、記憶部３４と、ＣＰＵ３５等とを備えて構成されている。
【００３４】
表示部３１は、ディスプレイ３１０を備えており、ＣＰＵ３５から入力される表示信号に基づいて各種情報をディスプレイ３１０に表示するようになっている。このディスプレイ３１０は、タッチパネル３２１と一体的に形成されて、ユーザによるタッチ操作を受け付け可能となっているものであってもよい。
【００３５】
入力部３２は、キー群３２０や上述のタッチパネル３２１を備えており、押下されたキーの種類やタッチパネル３２１の位置に対応する信号をＣＰＵ３５に出力するようになっている。
通信部３３は、親機２との間で無線通信を行うようになっている。
【００３６】
記憶部３４は、子機３の各種機能を実現するためのプログラムやデータを記憶するとともに、ＣＰＵ３５の作業領域として機能するメモリである。本実施の形態においては、記憶部３４は、ＩＤデータ３４０、セキュリティプログラム３４１、認証データ３４２、暗号キー３４３、復号キー３４４等を記憶している。
【００３７】
ＩＤデータ３４０は、自機（子機３）のＩＤについてのデータである。
セキュリティプログラム３４１は、後述の子機側セキュリティ処理（図３参照）をＣＰＵ３５に実行させるためのプログラムである。
認証データ３４２は、ペアリング設定の認証時などに使用されるデータである。
暗号キー３４３及び復号キー３４４は、親機２がファイルＦを暗号化、復号化するときに使用するキーである。
【００３８】
ＣＰＵ３５は、子機３の各部を中央制御する。具体的には、ＣＰＵ３５は、記憶部３４に記憶されているシステムプログラム及び各種アプリケーションプログラムの中から指定されたプログラムを展開し、展開されたプログラムとの協働で、各種処理を実行する。
【００３９】
［動作］
＜子機における子機側セキュリティ処理＞
続いて、子機３によって実行される子機側セキュリティ処理について、図面を参照しつつ説明する。
【００４０】
図３は、子機側セキュリティ処理の動作を説明するためのフローチャートである。なお、この子機側セキュリティ処理は、無線リンク機能をＯＮにする旨のユーザ操作が行われる（或いは子機３が起動される）と、記憶部３４からセキュリティプログラム３４１が読み出されて適宜展開される結果、当該セキュリティプログラム３４１とＣＰＵ３５との協働によって実行される。
【００４１】
この図に示すように、子機側セキュリティ処理においては、まずＣＰＵ３５は、自機の無線リンク機能をＯＮに設定し（ステップＵ１）、通信可能な無線リンク機器を探索する（ステップＵ２）。
【００４２】
次に、ＣＰＵ３５は、通信可能な無線リンク機器が発見されたか否かを判定し（ステップＵ３）、発見されないと判定した場合（ステップＵ３；Ｎｏ）には、その旨をディスプレイ３１０に表示させた後（ステップＵ４）、後述のステップＵ２８に移行する。
【００４３】
また、ステップＵ３において通信可能な無線リンク機器が発見されたと判定した場合（ステップＵ３；Ｙｅｓ）には、ＣＰＵ３５は、発見された無線リンク機器に関する情報を例えばリスト化してディスプレイ３１０に一覧表示させる（ステップＵ１１）。具体的には、このときＣＰＵ３５は、各無線リンク機器について、名称やＩＤ、受信信号強度（ＲＳＳＩ）、ペアリング設定済みであるか否かの情報、自機（子機３）との接続状態などを表示させるようになっている。
【００４４】
次に、ＣＰＵ３５は、ユーザ操作に基づいて、通信対象の無線リンク機器を選択する（ステップＵ１２）。なお、本実施の形態においては、このときユーザが親機２を選択することとして説明する。
【００４５】
次に、ＣＰＵ３５は、記憶部３４の認証データ３４２を参照し、選択された親機２がペアリング設定済みであるか否かを判定する（ステップＵ１３）。
【００４６】
このステップＵ１３において親機２がペアリング設定済みであると判定した場合（ステップＵ１３；Ｙｅｓ）には、ＣＰＵ３５は、選択された親機２と既に通信接続しているか否かを判定する（ステップＵ２１）。
【００４７】
そして、ステップＵ２１において親機２と既に通信接続していると判定した場合（ステップＵ２１；Ｙｅｓ）には、ＣＰＵ３５は、後述のステップＵ２５に移行する。
【００４８】
また、ステップＵ２１において親機２と未だ通信接続していないと判定した場合（ステップＵ２１；Ｎｏ）には、ＣＰＵ３５は、選択された親機２と通信接続する旨のユーザ操作が行われたか否かを判定する（ステップＵ２２）。
【００４９】
このステップＵ２２において親機２と通信接続しない旨のユーザ操作が行われたとき（ステップＵ２２；Ｎｏ）には、ＣＰＵ３５は、後述のステップＵ２８に移行する。
【００５０】
また、ステップＵ２２において親機２と通信接続する旨のユーザ操作が行われたとき（ステップＵ２２；Ｙｅｓ）には、ＣＰＵ３５は、選択された親機２との間で通信接続処理を行い（ステップＵ２３）、無線リンクによる通信を実行する（ステップＵ２４）。
【００５１】
次に、ＣＰＵ３５は、強制ログイン・強制ログアウト処理を行う（ステップＵ２５）。
具体的には、図４に示すように、この強制ログイン・強制ログアウト処理においてまずＣＰＵ３５は、親機２に対して強制ログイン要求を行う旨のユーザ操作が行われたか否かを判定する（ステップＶ１）。
【００５２】
このステップＶ１において強制ログイン要求を行う旨のユーザ操作が行われたとき（ステップＶ１；Ｙｅｓ）には、ＣＰＵ３５は、強制ログイン要求信号を親機２に送信し（ステップＶ２）、強制ログイン・強制ログアウト処理を終了する。なお、このとき送信される強制ログイン要求信号は、後述の親機側セキュリティ処理において親機２に受信される（図７のステップＳ５１参照）。
【００５３】
また、ステップＶ１において強制ログイン要求を行う旨のユーザ操作が行われていないとき（ステップＶ１；Ｎｏ）には、ＣＰＵ３５は、強制ログアウト要求を行う旨のユーザ操作が行われたか否かを判定する（ステップＶ３）。
【００５４】
そして、ステップＶ３において強制ログアウト要求を行う旨のユーザ操作が行われていないとき（ステップＶ３；Ｎｏ）には、ＣＰＵ３５は、強制ログイン・強制ログアウト処理を終了する。
【００５５】
一方、ステップＶ３において強制ログアウト要求を行う旨のユーザ操作が行われたとき（ステップＶ３；Ｙｅｓ）には、ＣＰＵ３５は、強制ログアウト要求信号を親機２に送信し（ステップＶ４）、強制ログイン・強制ログアウト処理を終了する。なお、このとき送信される強制ログアウト要求信号は、後述の親機側セキュリティ処理において親機２に受信される（図６のステップＳ４１参照）。
【００５６】
以上のステップＵ２５における強制ログイン・強制ログアウト処理が終了したら、図３に示すように、次にＣＰＵ３５は、通信接続を終了する旨のユーザ操作が行われたか否かを判定し（ステップＵ２６）、行われないとき（ステップＵ２６；Ｎｏ）には、上述のステップＵ２５に移行する。これにより、通信接続を終了する旨の操作をユーザが行わない限り、子機３ではステップＵ２５〜Ｕ２６の処理が繰返し行われることとなる。ステップＵ２５〜Ｕ２６が繰返し行われている間に、ＣＰＵ３５は、例えば、所定時間が経過する毎に親機２に信号（ビーコン）を送信する。そして、このようにステップＵ２５〜Ｕ２６が繰返し行われている間に、ユーザは子機３を装着したまま、親機２に対して任意に近接、離間することができる。
【００５７】
また、ステップＵ２６において通信接続を終了する旨のユーザ操作が行われたとき（ステップＵ２６；Ｙｅｓ）には、ＣＰＵ３５は、親機２との通信接続の終了処理を行う（ステップＵ２７）。
【００５８】
次に、ＣＰＵ３５は、無線リンク機能をＯＦＦにする旨のユーザ操作が行われたか否かを判定し（ステップＵ２８）、行われていないとき（ステップＵ２８；Ｎｏ）には、上述のステップＵ２に移行する。
【００５９】
また、ステップＵ２８において無線リンク機能をＯＦＦにする旨のユーザ操作が行われたとき（ステップＵ２８；Ｙｅｓ）には、ＣＰＵ３５は、自機の無線リンク機能をＯＦＦに設定し（ステップＵ２９）、子機側セキュリティ処理を終了する。
【００６０】
また、上述のステップＵ１３において親機２がペアリング設定済みでないと判定した場合（ステップＵ１３；Ｎｏ）には、ＣＰＵ３５は、選択された親機２をペアリング設定する旨のユーザ操作が行われたか否かを判定する（ステップＵ１４）。
【００６１】
このステップＵ１４において親機２をペアリング設定しない旨のユーザ操作が行われたとき（ステップＵ１４；Ｎｏ）には、ＣＰＵ３５は、上述のステップＵ１１に移行する。
【００６２】
また、ステップＵ１４において親機２をペアリング設定する旨のユーザ操作が行われたとき（ステップＵ１４；Ｙｅｓ）には、ＣＰＵ３５は、選択された親機２とのペアリング設定を行うとともに、その設定情報を認証データ３４２として記憶部３４に記憶させる（ステップＵ１５）。
【００６３】
次に、ＣＰＵ３５は、ペアリングコード（ＰＩＮコード、パスコード）の入力をユーザに促すメッセージをディスプレイ３１０に表示させ（ステップＵ１６）、ユーザ操作により入力されたペアリングコードの認証処理を行う（ステップＵ１７）。
【００６４】
次に、ＣＰＵ３５は、認証が成功したか否かを判定し（ステップＵ１８）、失敗したと判定した場合（ステップＵ１８；Ｎｏ）には上述のステップＵ１６に移行する。
【００６５】
また、ステップＵ１８において認証が成功したと判定した場合（ステップＵ１８；Ｙｅｓ）には、ＣＰＵ３５は、選択機器の名称の入力をユーザに促すメッセージをディスプレイ３１０に表示させ、ユーザ操作に応じて選択機器の名称を設定した後（ステップＵ１９）、上述のステップＵ２２に移行する。但し、このステップＵ１９の処理は行わなくても良い。
【００６６】
＜親機における親機側セキュリティ処理＞
続いて、親機２によって実行される親機側セキュリティ処理について、図面を参照しつつ説明する。
【００６７】
図５〜図７は、親機２における親機側セキュリティ処理の動作を説明するためのフローチャートである。なお、この親機側セキュリティ処理は、ユーザにより入力部２２を介して無線通信機能をＯＮにする旨の操作が行われると、記憶部２４からセキュリティプログラム２４１が読み出されて適宜展開される結果、当該セキュリティプログラム２４１とＣＰＵ２５との協働によって実行される。但し、以下の説明においては、説明の簡略化のため、親機２と無線通信可能な無線リンク機器を、複数の子機３のみとして説明を行う。
【００６８】
図５に示すように、親機側セキュリティ処理においてまずＣＰＵ２５は、子機３との無線リンク機能をＯＮに設定し（ステップＳ１）、子機３を探索する（ステップＳ２）。
【００６９】
次に、ＣＰＵ２５は、子機３が発見されたか否かを判定し（ステップＳ３）、発見されないと判定した場合（ステップＳ３；Ｎｏ）には、その旨をディスプレイ３１０に表示させる（ステップＳ４）。
【００７０】
次に、ＣＰＵ２５は、無線リンク機能をＯＦＦにする旨のユーザ操作が行われたか否かを判定し（ステップＳ５）、行われていないとき（ステップＳ５；Ｎｏ）には、上述のステップＳ２に移行する。
【００７１】
また、ステップＳ５において無線リンク機能をＯＦＦにする旨のユーザ操作が行われたとき（ステップＳ５；Ｙｅｓ）には、ＣＰＵ２５は、自機の無線リンク機能をＯＦＦに設定し（ステップＳ６）、親機側セキュリティ処理を終了する。
【００７２】
また、上述のステップＳ３において子機３が発見されたと判定した場合（ステップＳ３；Ｙｅｓ）には、ＣＰＵ２５は、子機データテーブル２４３を参照し、自動選択設定データ２４３ｅが「ＯＮ」に設定されている子機３が発見されたか否かを判定する（ステップＳ１１）。
【００７３】
このステップＳ１１において自動選択設定データ２４３ｅが「ＯＮ」の子機３が発見されないと判定した場合（ステップＳ１１；Ｎｏ）には、ＣＰＵ２５は、後述のステップＳ１３に移行する。
【００７４】
また、ステップＳ１１において自動選択設定データ２４３ｅが「ＯＮ」の子機３が発見されたと判定した場合（ステップＳ１１；Ｙｅｓ）には、ＣＰＵ２５は、当該子機３（自動選択設定データ２４３ｅが「ＯＮ」に設定されており、かつステップＳ２で発見された子機３）を自動選択して接続する旨のユーザ操作が行われたか否かを判定する（ステップＳ１２）。
【００７５】
このステップＳ１２において、自動選択設定データ２４３ｅが「ＯＮ」に設定されており、かつステップＳ２で発見された子機３を自動選択して接続する旨のユーザ操作が行われたとき（ステップＳ１２；Ｙｅｓ）には、ＣＰＵ２５は、当該子機３（以下、選択子機３Ｓとする）を通信対象として自動的に選択した後（ステップＳ３０）、図６に示すように、後述のステップＳ３１に移行する。
【００７６】
また、図５に示すように、上述のステップＳ１２において、自動選択設定データ２４３ｅが「ＯＮ」に設定されており、かつステップＳ２で発見された子機３を自動選択して接続しない旨のユーザ操作が行われたとき（ステップＳ１２；Ｎｏ）には、ＣＰＵ２５は、ステップＳ２で発見された子機３に関する情報を例えばリスト化してディスプレイ２１０に一覧表示させる（ステップＳ１３）。具体的には、このときＣＰＵ２５は、各子機３について、名称やＩＤ、受信信号強度（ＲＳＳＩ）、ペアリング設定済みであるか否かの情報、自機（親機２）との接続状態などを表示させるようになっている。
【００７７】
次に、ＣＰＵ２５は、ユーザ操作に基づいて、通信対象の子機３を選択した後（ステップＳ１４）、子機データテーブル２４３の認証データ２４３ｂを参照し、選択された子機３（以下、選択子機３Ｓとする）がペアリング設定されているか否かを判定し（ステップＳ１５）、ペアリング設定されていると判定した場合（ステップＳ１５；Ｙｅｓ）には、図６に示すように、後述のステップＳ３１に移行する。
【００７８】
また、図５に示すように、ステップＳ１５において、選択子機３Ｓがペアリング設定されていないと判定した場合（ステップＳ１５；Ｎｏ）には、ＣＰＵ２５は、ペアリング設定するか否か質問するメッセージをディスプレイ２１０に表示させ、選択子機３Ｓをペアリング設定する旨のユーザ操作が行われたか否かを判定する（ステップＳ１６）。
【００７９】
このステップＳ１６において選択子機３Ｓをペアリング設定しない旨のユーザ操作が行われたとき（ステップＳ１６；Ｎｏ）には、ＣＰＵ２５は、上述のステップＳ１３に移行する。
【００８０】
また、ステップＳ１６において選択子機３Ｓをペアリング設定する旨のユーザ操作が行われたとき（ステップＳ１６；Ｙｅｓ）には、ＣＰＵ２５は、選択機器とのペアリング設定を行うとともに、その設定情報を認証データ２４３ｂとして記憶部２４に記憶させる（ステップＳ２０）。
【００８１】
次に、ＣＰＵ２５は、ペアリングコード（ＰＩＮコード、パスコード）の入力をユーザに促すメッセージをディスプレイ２１０に表示させ（ステップＳ２１）、ユーザ操作に応じて入力されたペアリングコードの認証処理を行う（ステップＳ２２）。
【００８２】
次に、ＣＰＵ２５は、認証が成功したか否かを判定し（ステップＳ２３）、失敗したと判定した場合（ステップＳ２３；Ｎｏ）には上述のステップＳ２１に移行する。
【００８３】
また、ステップＳ２３において認証が成功したと判定した場合（ステップＳ２３；Ｙｅｓ）には、図６に示すように、ＣＰＵ２５は、選択子機３Ｓとの間での通信接続処理を行い、無線リンクによる通信を実行する（ステップＳ３１）。
【００８４】
次に、ＣＰＵ２５は、選択子機３Ｓから暗号キー３４３及び復号キー３４４を受信し、選択子機３ＳのＩＤデータ３４０に対応付けて子機データテーブル２４３に記憶させる（ステップＳ３２）。
【００８５】
次に、ＣＰＵ２５は、子機データテーブル２４３における選択子機３Ｓの自動選択設定データ２４３ｅを「ＯＮ」に、他の子機３の自動選択設定データ２４３ｅを「ＯＦＦ」に設定する（ステップＳ３３）。
【００８６】
次に、ＣＰＵ２５は、選択子機３Ｓから、前述の強制ログイン・強制ログアウト処理（ステップＵ２５）による強制ログアウト要求信号を受信したか否かを判定し（ステップＳ４１、上述の図４のステップＶ２を参照）、受信したと判定した場合（ステップＳ４１；Ｙｅｓ）には、この強制ログアウト要求信号の受信時の受信信号強度を受信信号強度測定部２３０によって計測する（ステップＳ４２）。
【００８７】
次に、ＣＰＵ２５は、計測された受信信号強度を、ログアウト状態への切り替え条件の閾値とし、子機データテーブル２４３において選択子機３Ｓに対応付けられた自動ログアウト条件データ２４３ｆを更新する（ステップＳ４３）。ここで、上述のステップＳ４１が複数回行われ、選択子機３Ｓから強制ログアウト要求信号が複数回受信された場合には、このステップＳ４３においてＣＰＵ２５は、例えば、現時点の自動ログアウト条件データ２４３ｆで示される受信信号強度の閾値よりも、新たに測定された受信信号強度が小さい場合に、自動ログアウト条件データ２４３ｆを更新する。これにより、選択子機３Ｓから強制ログアウト要求信号が複数回受信された場合には、各強制ログアウト要求信号の受信時に測定される受信信号強度のうち、最小の受信信号強度が切り替え条件の閾値とされ、子機データテーブル２４３に記憶されることとなる。
【００８８】
次に、ＣＰＵ２５は、現時点で親機２がログイン状態であるか否かを判定し（ステップＳ４４）、ログイン状態ではないと判定した場合（ステップＳ４４；Ｎｏ）には上述のステップＳ４１に移行する。
【００８９】
また、ステップＳ４４において親機２がログイン状態であると判定した場合（ステップＳ４４；Ｙｅｓ）には、ＣＰＵ２５は、現時点で開いているアプリケーションプログラムＰやファイルＦがあるか否かを判定する（ステップＳ４５）。
【００９０】
このステップＳ４５において、開いているアプリケーションプログラムＰやファイルＦがないと判定した場合（ステップＳ４５；Ｎｏ）には、ＣＰＵ２５は、後述のステップＳ４８に移行する。
【００９１】
また、ステップＳ４５において、開いているアプリケーションプログラムＰやファイルＦがあると判定した場合（ステップＳ４５；Ｙｅｓ）には、ＣＰＵ２５は、子機データテーブル２４３において選択子機３Ｓに対応付けられた暗号キー３４３を用い、開いているファイルＦを暗号化して記憶部２４に保存するとともに、当該ファイルＦを閉じる（ステップＳ４６）。
【００９２】
次に、ＣＰＵ２５は、開いているアプリケーションプログラムＰを終了させ（ステップＳ４７）、自機をログイン状態からログアウト状態に切り替え（ステップＳ４８）、上述のステップＳ４１に移行する。
【００９３】
また、上述のステップＳ４１において選択子機３Ｓから強制ログアウト要求信号を受信していないとき（ステップＳ４１；Ｎｏ）には、図７に示すように、ＣＰＵ２５は、選択子機３Ｓから、前述の強制ログイン・強制ログアウト処理（ステップＵ２５）による強制ログイン要求信号を受信したか否かを判定する（ステップＳ５１、上述の図４のステップＶ４を参照）。
【００９４】
このステップＳ５１において強制ログイン要求信号を受信したと判定した場合（ステップＳ５１；Ｙｅｓ）には、ＣＰＵ２５は、当該強制ログアウト要求信号の受信時の受信信号強度を受信信号強度測定部２３０によって計測する（ステップＳ５２）。
【００９５】
次に、ＣＰＵ２５は、計測された受信信号強度を、ログイン状態への切り替え条件の閾値とし、子機データテーブル２４３において選択子機３Ｓに対応付けられた自動ログイン条件データ２４３ｇを更新する（ステップＳ５３）。ここで、上述のステップＳ５１が複数回行われ、選択子機３Ｓから強制ログイン要求信号が複数回受信された場合には、このステップＳ５３においてＣＰＵ２５は、現時点の自動ログイン条件データ２４３ｇで示される受信信号強度の閾値よりも、新たに測定された受信信号強度が小さい場合に、自動ログイン条件データ２４３ｇを更新する。これにより、選択子機３Ｓから強制ログイン要求信号が複数回受信された場合には、各強制ログイン要求信号の受信時に測定される受信信号強度のうち、最小の受信信号強度が切り替え条件の閾値とされ、子機データテーブル２４３に記憶されることとなる。
【００９６】
次に、ＣＰＵ２５は、現時点で親機２がログアウト状態であるか否かを判定し（ステップＳ５４）、ログアウト状態ではないと判定した場合（ステップＳ５４；Ｎｏ）には、図６に示すように、上述のステップＳ４１に移行する。
【００９７】
また、図７に示すように、ステップＳ５４において親機２がログアウト状態であると判定した場合（ステップＳ５４；Ｙｅｓ）には、ＣＰＵ２５は、自機をログアウト状態からログイン状態に切り替える（ステップＳ５５）。
【００９８】
次に、ＣＰＵ２５は、前回のログアウト状態への切り替え時に終了したアプリケーションプログラムＰを起動するとともに（ステップＳ５６）、前回のログアウト状態への切り替え時に閉じたファイルＦを記憶部２４から読み出して開く（ステップＳ５７）。より詳細には、このステップＳ５７においてＣＰＵ２５は、子機データテーブル２４３において選択子機３Ｓに対応付けられた復号キー３４４を用い、ファイルＦを復号化して開く。そして、これらのステップＳ５６〜Ｓ５７と、上述のステップＳ４６〜Ｓ４７とにより、前回のログイン状態からログアウト状態への切り替え時に実行されていた処理内容が、今回のログアウト状態からログイン状態への切り替え時にレジュームされることとなる。
【００９９】
次に、ＣＰＵ２５は、サーバアクセスアプリケーションプログラムＰＳを起動し（ステップＳ５８）、サーバ４に対してログインした後（ステップＳ５９）、図６に示すように、上述のステップＳ４１に移行する。なお、このステップＳ５９が行われるとき、サーバ４では親機データテーブル４１を参照し、親機２のログイン認証を行う。そして、親機２がサーバ４にログインすると、ユーザはサーバ４のデータベース４２やメールボックス４３に任意にアクセスすることができるようになる。
【０１００】
また、図７に示すように、上述のステップＳ５１において強制ログイン要求信号を受信していないとき（ステップＳ５１；Ｎｏ）には、ＣＰＵ２５は、子機データテーブル２４３において選択子機３Ｓに対応付けられた自動ログアウト条件データ２４３ｆを参照するとともに、受信信号強度測定部２３０によって選択子機３Ｓからの信号の受信信号強度を計測し、当該自動ログアウト条件データ２４３ｆで示されるログアウト条件が成立したか否か、つまり自動ログアウト条件データ２４３ｆで示される閾値よりも受信信号強度が小さいか否かを判定する（ステップＳ６１）。
【０１０１】
このステップＳ６１においてログアウト条件が成立したと判定した場合（ステップＳ６１；Ｙｅｓ）には、ＣＰＵ２５は、現時点で親機２がログイン状態であるか否かを判定する（ステップＳ６２）。
【０１０２】
そして、このステップＳ６２において親機２がログイン状態ではないと判定した場合（ステップＳ６２；Ｎｏ）には、図６，図７に示すように、ＣＰＵ２５は、上述のステップＳ４１に移行する一方、ログイン状態であると判定した場合（ステップＳ６２；Ｙｅｓ）には、上述のステップＳ４５に移行する。これにより、図８（ａ）に示すように、親機２がログイン状態のときにユーザが子機３を装着して親機２から離れることで、親機２がログアウト状態に切り替えられることとなる。
【０１０３】
また、図７に示すように、上述のステップＳ６１においてログアウト条件が成立していないと判定した場合（ステップＳ６１；Ｎｏ）には、ＣＰＵ２５は、子機データテーブル２４３において選択子機３Ｓに対応付けられた自動ログイン条件データ２４３ｇを参照するとともに、受信信号強度測定部２３０によって選択子機３Ｓからの信号の受信信号強度を計測し、当該自動ログイン条件データ２４３ｇで示されるログイン条件が成立したか否か、つまり自動ログイン条件データ２４３ｇで示される閾値以上に受信信号強度が大きいか否かを判定する（ステップＳ７１）。
【０１０４】
このステップＳ７１においてログイン条件が成立したと判定した場合（ステップＳ７１；Ｙｅｓ）には、ＣＰＵ２５は、現時点で親機２がログアウト状態であるか否かを判定する（ステップＳ７２）。
【０１０５】
そして、このステップＳ７２において親機２がログアウト状態ではないと判定した場合（ステップＳ７２；Ｎｏ）には、図６，図７に示すように、ＣＰＵ２５は、上述のステップＳ４１に移行する一方、ログアウト状態であると判定した場合（ステップＳ７２；Ｙｅｓ）には、上述のステップＳ５５に移行する。これにより、図８（ｂ）に示すように、親機２がログアウト状態のときにユーザが子機３を装着して親機２に近づくことで、親機２がログイン状態に切り替えられることとなる。
【０１０６】
また、図７に示すように、上述のステップＳ７１においてログイン条件が成立しないと判定した場合（ステップＳ７１；Ｎｏ）には、ＣＰＵ２５は、自動ログイン条件データ２４３ｇまたは自動ログアウト条件データ２４３ｆの内容を変更する旨のユーザ操作が行われたか否かを判定する（ステップＳ８１）。
【０１０７】
そして、このステップＳ８１において自動ログイン条件データ２４３ｇまたは自動ログアウト条件データ２４３ｆの内容を変更しない旨のユーザ操作が行われたとき（ステップＳ８１；Ｎｏ）には、ＣＰＵ２５は、図７に示すように、上述のステップＳ４１に移行する。
【０１０８】
また、図６，図７に示すように、ステップＳ８１において自動ログイン条件データ２４３ｇまたは自動ログアウト条件データ２４３ｆの内容を変更する旨のユーザ操作が行われたとき（ステップＳ８１；Ｙｅｓ）には、ＣＰＵ２５は、ユーザ操作に基づいて子機データテーブル２４３における自動ログイン条件データ２４３ｇまたは自動ログアウト条件データ２４３ｆの内容（ログアウト状態、ログイン状態への切り替え条件の閾値）を更新した後（ステップＳ８２）、上述のステップＳ４１に移行する。
【０１０９】
以上、本実施の形態によれば、図６のステップＳ４１〜図７のステップＳ７２や、図８等に示したように、子機３からの強制ログアウト要求信号，強制ログイン要求信号が親機２で受信されたときに受信信号強度測定部２３０により測定される受信信号強度が自動ログアウト条件データ２４３ｆの閾値，自動ログイン条件データ２４３ｇの閾値として記憶され、受信信号強度測定部２３０により測定される受信信号強度が自動ログアウト条件データ２４３ｆの閾値未満になったときに親機２がログイン状態からログアウト状態に切り替えられ、受信信号強度が自動ログイン条件データ２４３ｇの閾値以上になったときに親機２がログアウト状態からログイン状態に切り替えられるので、ユーザが子機３から強制ログアウト要求信号，強制ログイン要求信号を発信させたとき、そのときの子機３の位置（親機２に対する子機３の相対位置）がログイン・ログアウトを切り替えるための境界位置となる。これにより、子機３をユーザが装着して当該境界位置よりも親機２に近づくと親機２がログイン状態になり、当該境界位置よりもユーザが親機２から離れると親機２がログアウト状態になる。従って、ユーザが子機３を装着して親機２に対して近接、離間するだけで、親機２のログイン状態及びログアウト状態を切り替えることができる。よって、ユーザにＩＤ及びパスワードを入力させてログイン認証を行う従来の場合や、ＩＣカードやＵＳＢメモリ等のハードウェアキーをパソコンに接続させて認証を行う従来の場合と異なり、パスワードを覚える手間や、ハードウェアキーを所持して持ち歩く手間を省くことができるため、従来の場合と比較して、セキュリティを確保するための手間を軽減することができる。また、ユーザが子機３を装着しつつ親機２から離れるだけで親機２をログアウト状態に切り替えることができるため、ログアウト操作をユーザに行わせる場合と比較して、セキュリティを確保するための手間を軽減することができる。
また、ユーザにパスワードを入力させることなくログイン状態への切り替えを行うことができるため、ユーザにＩＤ及びパスワードを入力させてログイン認証を行う従来の場合と異なり、パスワードの入力操作を他人に覗かれたり、パスワードを見破られたりするのを防止することができる。また、子機３が身体に装着されることで盗難され難くなるため、ＩＣカードやＵＳＢメモリ等のハードウェアキーをパソコンに接続させて認証を行う従来の場合と異なり、ハードウェハキーが盗難されるのを防止することができる。従って、従来の場合と比較して、安全性を高めることができる。また、ユーザが子機３を装着しつつ親機２から離れるだけで親機２をログアウト状態に切り替えることができるため、所定時間の経過後に親機２がログアウト状態に切り替わる場合と比較して、安全性を高めることができる。
また、ユーザにパスワードを入力させたり、親機２が生体認証を行ったりすることなくログイン状態への切り替えを行うことができるため、これらを行う従来の場合と比較して、ログイン状態への切り替えに要する時間を短縮することができる。
また、親機２に具備される受信信号強度測定部２３０や子機データテーブル２４３等と、子機３とでセキュリティを確保することができるため、生体認証を行う従来の場合と比較して、コストを低廉化することができる。
【０１１０】
また、図６のステップＳ４１〜図７のステップＳ７２などに示したように、受信信号強度測定部２３０により測定される受信信号強度が自動ログアウト条件データ２４３ｆの閾値未満になったときに親機２がログイン状態からログアウト状態に切り替えられ、受信信号強度が自動ログイン条件データ２４３ｇの閾値以上になったときに親機２がログアウト状態からログイン状態に切り替えられるので、親機２をログイン状態に切り替えるための境界位置と、親機２をログアウト状態に切り替えるための境界位置とを違う位置にすることができる。従って、例えば、自動ログアウト条件データ２４３ｆの閾値を自動ログイン条件データ２４３ｇの閾値よりも低くして、ログアウト状態に切り替えるための境界位置を、ログイン状態に切り替えるための境界位置よりも親機２の遠くに設定することにより、親機２をログイン状態からログアウト状態に切り替わり難くし、かつ、ログアウト状態からログイン状態に切り替わり難くすることができる。そして、この場合には、親機２の遠くにユーザがいる場合に親機２が勝手にログイン状態に切り替わってしまうのを防止することができるため、いっそう安全性を高めることができる。また、親機２の近くにユーザがいる場合に親機２が勝手にログアウト状態に切り替わってしまうのを防止することができるため、親機２が勝手にログアウト状態に切り替わるのに要する時間や、その後に改めて親機２をログイン状態に戻すのに要する時間を省くことができる。
【０１１１】
また、図６のステップＳ４３や図７のステップＳ５３などに示したように、強制ログアウト要求信号が親機２で複数回受信された場合に、各強制ログアウト要求信号が受信されたときに測定される受信信号強度のうち、最小の受信信号強度が自動ログアウト条件データ２４３ｆの閾値として記憶されるので、親機２の周辺の複数の位置で、ユーザが子機３から強制ログアウト要求信号を発信させると、これら複数の位置のうち、親機２に対して最も受信信号強度が低くなる位置、つまり一般に親機２から最も遠い位置が親機２をログアウト状態に切り替えるための境界位置となる。従って、ユーザが試行錯誤しつつ徐々にこの境界位置を親機２の遠くに設定することで、親機２の近くにユーザがいる場合に親機２が勝手にログアウト状態に切り替わってしまうのを確実に防止することができる。従って、親機２が勝手にログアウト状態に切り替わるのに要する時間や、その後に改めて親機２をログイン状態に戻すのに要する時間を省くことができる。
同様に、強制ログイン要求信号が親機２で複数回受信された場合に、各強制ログイン要求信号が受信されたときに測定される受信信号強度のうち、最小の受信信号強度が自動ログイン条件データ２４３ｇの閾値として記憶されるので、親機２の周辺の複数の位置で、ユーザが子機３から強制ログイン要求信号を発信させると、これら複数の位置のうち、親機２に対して最も受信信号強度が低くなる位置、つまり一般に親機２から最も遠い位置が親機２をログイン状態に切り替えるための境界位置となる。従って、ユーザが試行錯誤しつつ徐々にこの境界位置を親機２の遠くに設定することで、親機２にユーザが近づいた場合に親機２を速やかにログイン状態に切り替えさせることができる。
【０１１２】
また、図６のステップＳ４６〜Ｓ４７や図７のステップＳ５６〜Ｓ５７などに示したように、親機２ではログアウト状態からログイン状態への切り替え時に、前回のログイン状態からログアウト状態への切り替え時に実行されていた処理内容がレジュームされるので、親機２がログアウト状態に切り替わった後、改めてログイン状態に切り替わった場合に、前回のログイン状態のときにユーザが親機２で行っていた作業を、速やかに再開することができる。
【０１１３】
また、図６のステップＳ４６や図７のステップＳ５６などに示したように、ログイン状態からログアウト状態への切り替え時に、この時点で開いているファイルＦが暗号化して記憶され、ログアウト状態からログイン状態への切り替え時に、前回のログイン状態からログアウト状態への切り替え時に開いていたファイルＦが読み出され、復号化して開かれるので、ログアウト状態のときにファイルＦにアクセスされてしまうのを防止し、安全性をいっそう高めることができる。
また、図６のステップＳ３２などに示したように、子機３から親機２に送信される暗号キー３４３、復号キー３４４が暗号化、復号化に用いられるので、ログアウト状態のときにファイルＦにアクセスされてしまうのをより確実に防止し、安全性をいっそう高めることができる。
【０１１４】
また、図７のステップＳ８２などに示したように、自動ログアウト条件データ２４３ｆや自動ログイン条件データ２４３ｇにおける閾値がユーザ操作により変更されるので、ログアウト状態に切り替えるための境界位置や、ログイン状態に切り替えるための境界位置を、任意に変更することができる。
【０１１５】
また、図７のステップＳ５８〜Ｓ５９などに示したように、ログアウト状態からログイン状態への切り替え時に、サーバアクセスアプリケーションプログラムＰＳが実行され、親機２がサーバ４に対してログインするので、ログイン状態への切り替え後にユーザがサーバ４に対してログイン操作を行う手間を省くことができる。
【０１１６】
なお、上記の実施の形態におけるセキュリティシステム１の各構成要素の細部構成及び細部動作に関しては、本発明の趣旨を逸脱しない範囲で適宜変更可能であることは勿論である。
【０１１７】
例えば、本発明における情報処理装置は、パソコンに限らず、関数電卓、電子辞書、携帯電話、ＰＤＡ（Ｐｅｒｓｏｎａｌ  Ｄｉｇｉｔａｌ  Ａｓｓｉｓｔａｎｔ）、ゲーム機などの電子機器全般に適用可能である。
【０１１８】
また、親機２にセキュリティプログラム２４１が記憶され、子機３にセキュリティプログラム３４１が記憶されることとして説明したが、親機２及び子機３の製品出荷時にはこれらのセキュリティプログラム２４１，３４１が纏められた状態で子機３に記憶され、親機２及び子機３のペアリング設定時などに親機２へセキュリティプログラム２４１が送信されることとしても良いし、これとは逆に、セキュリティプログラム２４１，３４１が纏められた状態で親機２に記憶され、親機２及び子機３のペアリング設定時などに子機３へセキュリティプログラム３４１が送信されることとしても良いし、親機２に対して着脱可能なメモリカードやＣＤ等にセキュリティプログラム２４１，３４１が纏められた状態で記憶され、親機２及び子機３のペアリング設定時などに子機３へセキュリティプログラム３４１が送信され、親機２にセキュリティプログラム２４１が送信されることとしても良い。
【０１１９】
また、親機２に自動ログアウト条件データ２４３ｆ及び自動ログイン条件データ２４３ｇの２つの条件データが記憶され、自動ログアウト条件データ２４３ｆで示される閾値よりも受信信号強度が小さい場合に親機２がログイン状態からログアウト条件に切り替えられ、自動ログイン条件データ２４３ｇで示される閾値以上に受信信号強度が大きい場合に親機２がログアウト状態からログイン状態に切り替えられることとして説明したが、親機２に単一の条件データが記憶され、この条件データで示される閾値よりも受信信号強度が小さい場合に親機２がログイン状態からログアウト条件に切り替えられ、この条件データで示される閾値以上に受信信号強度が大きい場合に親機２がログアウト状態からログイン状態に切り替えられることとしても良い。更に、この場合には、子機３からの強制ログアウト要求信号（強制ログイン要求信号）が複数回受信された場合に、各要求信号が受信されたときに測定される受信信号強度のうち、最小の受信信号強度がログイン状態及びログアウト状態の切り替え条件の閾値とされ、親機２における前記条件データが更新されることが好ましい。
【０１２０】
また、親機２及び子機３の無線通信の方式として、単一の方式（クラス１のBluetooth）が用いられることとして説明したが、複数の無線通信方式が切り替えられて用いられることとしても良い。この場合には、自動ログアウト条件データ２４３ｆ及び自動ログイン条件データ２４３ｇには、使用される無線方式の種類と、その無線方式の受信信号強度の閾値とが含まれることとなる。また、この場合には、上述のステップＳ８２において、親機２で自動ログイン条件データ２４３ｇや自動ログアウト条件データ２４３ｆの内容、つまり無線方式の種類と、その無線方式の受信信号強度の閾値とが変更されることとなる。
【０１２１】
以上、本発明のいくつかの実施形態を説明したが、本発明の範囲は、上述の実施の形態に限定するものではなく、特許請求の範囲に記載された発明の範囲とその均等の範囲を含む。
【０１２２】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
情報処理装置と、前記情報処理装置との間で無線通信を行う端末と、を備え、前記情報処理装置の状態を制御する制御システムにおいて、
前記身体装着型端末は、ユーザの身体に装着可能であるとともに、
前記情報処理装置をログアウト状態とログイン状態との間で切り替えるための切替要求信号をユーザ操作に応じて前記情報処理装置に送信する切替要求信号送信部を有し、
前記情報処理装置は、
前記身体装着型端末との間での前記無線通信の受信信号強度を測定する受信信号強度測定部と、
前記切替要求信号が受信されたときに前記受信信号強度測定部により測定される受信信号強度を切替閾値として記憶する閾値記憶部と、
前記受信信号強度測定部により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御部と、
を有することを特徴とする制御システム。
＜請求項２＞
請求項１記載の制御システムにおいて、
前記切替要求信号送信部は、
ユーザ操作に応じて、前記情報処理装置をログイン状態からログアウト状態に切り替えるためのログアウト切替要求信号を前記情報処理装置に送信するログアウト切替要求信号送信部と、
ユーザ操作に応じて、前記情報処理装置をログアウト状態からログイン状態に切り替えるためのログイン切替要求信号を前記情報処理装置に送信するログイン切替要求信号送信部と、
を有し、
前記閾値記憶部は、
前記ログアウト切替要求信号が受信されたときに前記受信信号強度測定部により測定される受信信号強度をログアウト用の前記切替閾値として記憶するとともに、前記ログイン切替要求信号が受信されたときに前記受信信号強度測定部により測定される受信信号強度をログイン用の前記切替閾値として記憶し、
前記ログアウト・ログイン制御部は、
前記受信信号強度測定部により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御システム。
＜請求項３＞
請求項２記載の制御システムにおいて、
前記閾値記憶部は、
前記情報処理装置で前記ログアウト切替要求信号が複数回受信された場合に、各ログアウト切替要求信号が受信されたときに前記受信信号強度測定部により測定される受信信号強度のうち、最小の受信信号強度を前記ログアウト用の切替閾値として記憶するとともに、
前記情報処理装置で前記ログイン切替要求信号が複数回受信された場合に、各ログイン切替要求信号が受信されたときに前記受信信号強度測定部により測定される受信信号強度のうち、最小の受信信号強度を前記ログイン用の切替閾値として記憶することを特徴とする制御システム。
＜請求項４＞
請求項１〜３の何れか一項に記載の制御システムにおいて、
前記情報処理装置は、
ログアウト状態からログイン状態への切り替え時に、前回のログイン状態からログアウト状態への切り替え時に実行されていた処理内容をレジュームするレジューム部を有することを特徴とする制御システム。
＜請求項５＞
請求項１〜４の何れか一項に記載の制御システムにおいて、
前記身体装着型端末は、
暗号キー及び復号キーを記憶するキー記憶部を有し、
前記情報処理装置は、
ファイルを記憶するファイル記憶部と、
前記身体装着型端末から送信される暗号キーを用い、ログイン状態からログアウト状態への切り替え時に、この時点で開いているファイルを暗号化して前記ファイル記憶部に記憶させる暗号化部と、
前記身体装着型端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化部と、
を有することを特徴とする制御システム。
＜請求項６＞
請求項１〜５の何れか一項に記載の制御システムにおいて、
前記情報処理装置は、
前記閾値記憶部に記憶された前記切替閾値を、ユーザ操作に基づいて変更する切替閾値変更部を有することを特徴とする制御システム。
＜請求項７＞
請求項１〜６の何れか一項に記載の制御システムにおいて、
前記情報処理装置は、
ネットワークを介してサーバと通信可能な通信部と、
前記サーバへのアクセスを行うサーバアクセスアプリケーションを実行するサーバアクセスアプリケーション実行部と、
ログアウト状態からログイン状態への切り替え時に、前記サーバアクセスアプリケーション実行部に前記サーバアクセスアプリケーションを実行させ、前記サーバに対してログインするサーバログイン制御部と、
を有することを特徴とする制御システム。
＜請求項８＞
情報処理装置と、前記情報処理装置との間で無線通信を行う端末と、を備えるシステムで前記情報処理装置の状態を制御する制御方法において、
前記端末として、ユーザの身体に装着可能なものを用い、
前記情報処理装置をログアウト状態とログイン状態との間で切り替えるための切替要求信号をユーザ操作に応じて前記身体装着型端末から前記情報処理装置に送信させる切替要求信号送信ステップと、
前記情報処理装置に前記身体装着型端末との間での前記無線通信の受信信号強度を測定させる受信信号強度測定ステップと、
前記情報処理装置で前記切替要求信号が受信されたときに前記受信信号強度測定ステップにより測定される受信信号強度を切替閾値として前記情報処理装置に記憶させる閾値記憶ステップと、
前記受信信号強度測定ステップにより測定される受信信号強度が前記切替閾値未満になったときに前記情報処理装置をログイン状態からログアウト状態に切り替え、当該受信信号強度が前記切替閾値以上になったときに前記情報処理装置をログアウト状態からログイン状態に切り替えるログアウト・ログイン制御ステップと、
を含むことを特徴とする制御方法。
＜請求項９＞
請求項８記載の制御方法において、
前記切替要求信号送信ステップは、
ユーザ操作に応じて、前記情報処理装置をログイン状態からログアウト状態に切り替えるためのログアウト切替要求信号を前記身体装着型端末から前記情報処理装置に送信させるログアウト切替要求信号送信ステップと、
ユーザ操作に応じて、前記情報処理装置をログアウト状態からログイン状態に切り替えるためのログイン切替要求信号を前記身体装着型端末から前記情報処理装置に送信させるログイン切替要求信号送信ステップと、
を有し、
前記閾値記憶ステップでは、
前記情報処理装置で前記ログアウト切替要求信号が受信されたときに前記受信信号強度測定ステップにより測定される受信信号強度をログアウト用の前記切替閾値として記憶させるとともに、前記情報処理装置で前記ログイン切替要求信号が受信されたときに前記受信信号強度測定ステップにより測定される受信信号強度をログイン用の前記切替閾値として記憶させ、
前記ログアウト・ログイン制御ステップでは、
前記受信信号強度測定ステップにより測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御方法。
＜請求項１０＞
請求項９記載の制御方法において、
前記閾値記憶ステップでは、
前記情報処理装置で前記ログアウト切替要求信号が複数回受信された場合に、各ログアウト切替要求信号が受信されたときに前記受信信号強度測定ステップにより測定される受信信号強度のうち、最小の受信信号強度を前記ログアウト用の切替閾値として記憶させるとともに、
前記情報処理装置で前記ログイン切替要求信号が複数回受信された場合に、各ログイン切替要求信号が受信されたときに前記受信信号強度測定ステップにより測定される受信信号強度のうち、最小の受信信号強度を前記ログイン用の切替閾値として記憶させることを特徴とする制御方法。
＜請求項１１＞
請求項８〜１０の何れか一項に記載の制御方法において、
前記情報処理装置のログアウト状態からログイン状態への切り替え時に、前回のログイン状態からログアウト状態への切り替え時に前記情報処理装置で実行されていた処理内容を当該情報処理装置にレジュームさせるレジュームステップを含むことを特徴とする制御方法。
＜請求項１２＞
請求項８〜１１の何れか一項に記載の制御方法において、
前記身体装着型端末として、
暗号キー及び復号キーを記憶するキー記憶部を有するものを用い、
前記情報処理装置として、
ファイルを記憶するファイル記憶部を有するものを用い、
前記情報処理装置に前記身体装着型端末から送信される暗号キーを使用させ、ログイン状態からログアウト状態への切り替え時に、この時点で開いているファイルを暗号化して前記ファイル記憶部に記憶させる暗号化ステップと、
前記情報処理装置に前記身体装着型端末から送信される復号キーを使用させ、ログアウト状態からログイン状態への切り替え時に、前回のログイン状態からログアウト状態への切り替え時に開いていたファイルを前記ファイル記憶部から読み出し、復号化して開かせる復号化ステップと、
を含むことを特徴とする制御方法。
＜請求項１３＞
請求項８〜１２の何れか一項に記載の制御方法において、
前記閾値記憶ステップで前記情報処理装置に記憶された前記切替閾値を、ユーザ操作に基づいて変更する切替閾値変更ステップを含むことを特徴とする制御方法。
＜請求項１４＞
情報処理装置と、前記情報処理装置との間で無線通信を行う端末と、を備えるシステムで前記情報処理装置の状態を制御する制御プログラムにおいて、
前記端末は、ユーザの身体に装着可能であり、
当該制御プログラムは、
前記身体装着型端末に、
前記情報処理装置をログアウト状態とログイン状態との間で切り替えるための切替要求信号をユーザ操作に応じて前記情報処理装置に送信する切替要求信号送信機能を実現させるとともに、
前記情報処理装置に、
前記身体装着型端末との間での前記無線通信の受信信号強度を測定する受信信号強度測定機能と、
前記切替要求信号が受信されたときに前記受信信号強度測定機能により測定される受信信号強度を切替閾値として記憶する閾値記憶機能と、
前記受信信号強度測定機能により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御機能と、
を実現させることを特徴とする制御プログラム。
＜請求項１５＞
請求項１４記載の制御プログラムにおいて、
前記切替要求信号送信機能は、
ユーザ操作に応じて、前記情報処理装置をログイン状態からログアウト状態に切り替えるためのログアウト切替要求信号を前記情報処理装置に送信するログアウト切替要求信号送信機能と、
ユーザ操作に応じて、前記情報処理装置をログアウト状態からログイン状態に切り替えるためのログイン切替要求信号を前記情報処理装置に送信するログイン切替要求信号送信機能と、
を有し、
前記閾値記憶機能では、
前記ログアウト切替要求信号が受信されたときに前記受信信号強度測定機能により測定される受信信号強度をログアウト用の前記切替閾値として記憶するとともに、前記ログイン切替要求信号が受信されたときに前記受信信号強度測定機能により測定される受信信号強度をログイン用の前記切替閾値として記憶する機能を前記情報処理装置に実現させ、
前記ログアウト・ログイン制御機能では、
前記受信信号強度測定機能により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替える機能を前記情報処理装置に実現させることを特徴とする制御プログラム。
＜請求項１６＞
請求項１５記載の制御プログラムにおいて、
前記閾値記憶機能では、
前記情報処理措置で前記ログアウト切替要求信号が複数回受信された場合に、各ログアウト切替要求信号が受信されたときに前記受信信号強度測定機能により測定される受信信号強度のうち、最小の受信信号強度を前記ログアウト用の切替閾値として記憶するとともに、
前記情報処理措置で前記ログイン切替要求信号が複数回受信された場合に、各ログイン切替要求信号が受信されたときに前記受信信号強度測定機能により測定される受信信号強度のうち、最小の受信信号強度を前記ログイン用の切替閾値として記憶する機能を前記情報処理装置に実現させることを特徴とする制御プログラム。
＜請求項１７＞
請求項１４〜１６の何れか一項に記載の制御プログラムにおいて、
前記情報処理装置に、
ログアウト状態からログイン状態への切り替え時に、前回のログイン状態からログアウト状態への切り替え時に前記情報処理装置で実行されていた処理内容をレジュームするレジューム機能を実現させることを特徴とする制御プログラム。
＜請求項１８＞
請求項１４〜１７の何れか一項に記載の制御プログラムにおいて、
前記身体装着型端末は、
暗号キー及び復号キーを記憶するキー記憶部を有し、
前記情報処理装置は、
ファイルを記憶するファイル記憶部を有し、
当該制御プログラムは、
前記情報処理装置に、
前記身体装着型端末から送信される暗号キーを用い、ログイン状態からログアウト状態への切り替え時に、この時点で開いているファイルを暗号化して前記ファイル記憶部に記憶させる暗号化機能と、
前記身体装着型端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化機能と、
を実現させることを特徴とする制御プログラム。
＜請求項１９＞
請求項１４〜１８の何れか一項に記載の制御プログラムにおいて、
前記情報処理装置に、
前記閾値記憶機能で前記情報処理装置に記憶された前記切替閾値を、ユーザ操作に基づいて変更する切替閾値変更機能を実現させることを特徴とする制御プログラム。
【符号の説明】
【０１２３】
１              セキュリティシステム
２              親機
３              子機
４              サーバ
２５            親機のＣＰＵ
３３            子機の通信部
２３０          受信信号強度測定部
２４１、３４１  セキュリティプログラム
２４３          子機データテーブル
３４３          暗号キー
３４４          復号キー
【図１】
2014123191.tif 000003
【図２】
2014123191.tif 000004
【図３】
2014123191.tif 000005
【図４】
2014123191.tif 000006
【図５】
2014123191.tif 000007
【図６】
2014123191.tif 000008
【図７】
2014123191.tif 000009
【図８】
2014123191.tif 000010
【手続補正書】
【提出日】平成25年1月23日(2013.1.23)
【手続補正１】
【補正対象書類名】明細書
【補正対象項目名】０００９
【補正方法】変更
【補正の内容】
【０００９】
以上の課題を解決するため、本発明は、情報処理装置と、前記情報処理装置との間で無線通信を行う端末と、を備え、前記情報処理装置の状態を制御する制御システムにおいて、
前記端末は、ユーザの身体に装着可能であるとともに、
前記情報処理装置をログアウト状態とログイン状態との間で切り替えるための切替要求信号をユーザ操作に応じて前記情報処理装置に送信する切替要求信号送信部を有し、
前記情報処理装置は、
前記端末との間での前記無線通信の受信信号強度を測定する受信信号強度測定部と、
前記切替要求信号が受信されたときに前記受信信号強度測定部により測定される受信信号強度を切替閾値として記憶する閾値記憶部と、
前記受信信号強度測定部により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御部と、
を有することを特徴とする。
【手続補正２】
【補正対象書類名】明細書
【補正対象項目名】０１２２
【補正方法】変更
【補正の内容】
【０１２２】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
情報処理装置と、前記情報処理装置との間で無線通信を行う端末と、を備え、前記情報処理装置の状態を制御する制御システムにおいて、
前記端末は、ユーザの身体に装着可能であるとともに、
前記情報処理装置をログアウト状態とログイン状態との間で切り替えるための切替要求信号をユーザ操作に応じて前記情報処理装置に送信する切替要求信号送信部を有し、
前記情報処理装置は、
前記端末との間での前記無線通信の受信信号強度を測定する受信信号強度測定部と、
前記切替要求信号が受信されたときに前記受信信号強度測定部により測定される受信信号強度を切替閾値として記憶する閾値記憶部と、
前記受信信号強度測定部により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御部と、
を有することを特徴とする制御システム。
＜請求項２＞
請求項１記載の制御システムにおいて、
前記切替要求信号送信部は、
ユーザ操作に応じて、前記情報処理装置をログイン状態からログアウト状態に切り替えるためのログアウト切替要求信号を前記情報処理装置に送信するログアウト切替要求信号送信部と、
ユーザ操作に応じて、前記情報処理装置をログアウト状態からログイン状態に切り替えるためのログイン切替要求信号を前記情報処理装置に送信するログイン切替要求信号送信部と、
を有し、
前記閾値記憶部は、
前記ログアウト切替要求信号が受信されたときに前記受信信号強度測定部により測定される受信信号強度をログアウト用の前記切替閾値として記憶するとともに、前記ログイン切替要求信号が受信されたときに前記受信信号強度測定部により測定される受信信号強度をログイン用の前記切替閾値として記憶し、
前記ログアウト・ログイン制御部は、
前記受信信号強度測定部により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御システム。
＜請求項３＞
請求項２記載の制御システムにおいて、
前記閾値記憶部は、
前記情報処理装置で前記ログアウト切替要求信号が複数回受信された場合に、各ログアウト切替要求信号が受信されたときに前記受信信号強度測定部により測定される受信信号強度のうち、最小の受信信号強度を前記ログアウト用の切替閾値として記憶するとともに、
前記情報処理装置で前記ログイン切替要求信号が複数回受信された場合に、各ログイン切替要求信号が受信されたときに前記受信信号強度測定部により測定される受信信号強度のうち、最小の受信信号強度を前記ログイン用の切替閾値として記憶することを特徴とする制御システム。
＜請求項４＞
請求項１〜３の何れか一項に記載の制御システムにおいて、
前記情報処理装置は、
ログアウト状態からログイン状態への切り替え時に、前回のログイン状態からログアウト状態への切り替え時に実行されていた処理内容をレジュームするレジューム部を有することを特徴とする制御システム。
＜請求項５＞
請求項１〜４の何れか一項に記載の制御システムにおいて、
前記端末は、
暗号キー及び復号キーを記憶するキー記憶部を有し、
前記情報処理装置は、
ファイルを記憶するファイル記憶部と、
前記端末から送信される暗号キーを用い、ログイン状態からログアウト状態への切り替え時に、この時点で開いているファイルを暗号化して前記ファイル記憶部に記憶させる暗号化部と、
前記端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化部と、
を有することを特徴とする制御システム。
＜請求項６＞
請求項１〜５の何れか一項に記載の制御システムにおいて、
前記情報処理装置は、
前記閾値記憶部に記憶された前記切替閾値を、ユーザ操作に基づいて変更する切替閾値変更部を有することを特徴とする制御システム。
＜請求項７＞
請求項１〜６の何れか一項に記載の制御システムにおいて、
前記情報処理装置は、
ネットワークを介してサーバと通信可能な通信部と、
前記サーバへのアクセスを行うサーバアクセスアプリケーションを実行するサーバアクセスアプリケーション実行部と、
ログアウト状態からログイン状態への切り替え時に、前記サーバアクセスアプリケーション実行部に前記サーバアクセスアプリケーションを実行させ、前記サーバに対してログインするサーバログイン制御部と、
を有することを特徴とする制御システム。
＜請求項８＞
情報処理装置と、前記情報処理装置との間で無線通信を行う端末と、を備えるシステムで前記情報処理装置の状態を制御する制御方法において、
前記端末として、ユーザの身体に装着可能なものを用い、
前記情報処理装置をログアウト状態とログイン状態との間で切り替えるための切替要求信号をユーザ操作に応じて前記端末から前記情報処理装置に送信させる切替要求信号送信ステップと、
前記情報処理装置に前記端末との間での前記無線通信の受信信号強度を測定させる受信信号強度測定ステップと、
前記情報処理装置で前記切替要求信号が受信されたときに前記受信信号強度測定ステップにより測定される受信信号強度を切替閾値として前記情報処理装置に記憶させる閾値記憶ステップと、
前記受信信号強度測定ステップにより測定される受信信号強度が前記切替閾値未満になったときに前記情報処理装置をログイン状態からログアウト状態に切り替え、当該受信信号強度が前記切替閾値以上になったときに前記情報処理装置をログアウト状態からログイン状態に切り替えるログアウト・ログイン制御ステップと、
を含むことを特徴とする制御方法。
＜請求項９＞
請求項８記載の制御方法において、
前記切替要求信号送信ステップは、
ユーザ操作に応じて、前記情報処理装置をログイン状態からログアウト状態に切り替えるためのログアウト切替要求信号を前記端末から前記情報処理装置に送信させるログアウト切替要求信号送信ステップと、
ユーザ操作に応じて、前記情報処理装置をログアウト状態からログイン状態に切り替えるためのログイン切替要求信号を前記端末から前記情報処理装置に送信させるログイン切替要求信号送信ステップと、
を有し、
前記閾値記憶ステップでは、
前記情報処理装置で前記ログアウト切替要求信号が受信されたときに前記受信信号強度測定ステップにより測定される受信信号強度をログアウト用の前記切替閾値として記憶させるとともに、前記情報処理装置で前記ログイン切替要求信号が受信されたときに前記受信信号強度測定ステップにより測定される受信信号強度をログイン用の前記切替閾値として記憶させ、
前記ログアウト・ログイン制御ステップでは、
前記受信信号強度測定ステップにより測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御方法。
＜請求項１０＞
請求項９記載の制御方法において、
前記閾値記憶ステップでは、
前記情報処理装置で前記ログアウト切替要求信号が複数回受信された場合に、各ログアウト切替要求信号が受信されたときに前記受信信号強度測定ステップにより測定される受信信号強度のうち、最小の受信信号強度を前記ログアウト用の切替閾値として記憶させるとともに、
前記情報処理装置で前記ログイン切替要求信号が複数回受信された場合に、各ログイン切替要求信号が受信されたときに前記受信信号強度測定ステップにより測定される受信信号強度のうち、最小の受信信号強度を前記ログイン用の切替閾値として記憶させることを特徴とする制御方法。
＜請求項１１＞
請求項８〜１０の何れか一項に記載の制御方法において、
前記情報処理装置のログアウト状態からログイン状態への切り替え時に、前回のログイン状態からログアウト状態への切り替え時に前記情報処理装置で実行されていた処理内容を当該情報処理装置にレジュームさせるレジュームステップを含むことを特徴とする制御方法。
＜請求項１２＞
請求項８〜１１の何れか一項に記載の制御方法において、
前記端末として、
暗号キー及び復号キーを記憶するキー記憶部を有するものを用い、
前記情報処理装置として、
ファイルを記憶するファイル記憶部を有するものを用い、
前記情報処理装置に前記端末から送信される暗号キーを使用させ、ログイン状態からログアウト状態への切り替え時に、この時点で開いているファイルを暗号化して前記ファイル記憶部に記憶させる暗号化ステップと、
前記情報処理装置に前記端末から送信される復号キーを使用させ、ログアウト状態からログイン状態への切り替え時に、前回のログイン状態からログアウト状態への切り替え時に開いていたファイルを前記ファイル記憶部から読み出し、復号化して開かせる復号化ステップと、
を含むことを特徴とする制御方法。
＜請求項１３＞
請求項８〜１２の何れか一項に記載の制御方法において、
前記閾値記憶ステップで前記情報処理装置に記憶された前記切替閾値を、ユーザ操作に基づいて変更する切替閾値変更ステップを含むことを特徴とする制御方法。
＜請求項１４＞
情報処理装置と、前記情報処理装置との間で無線通信を行う端末と、を備えるシステムで前記情報処理装置の状態を制御する制御プログラムにおいて、
前記端末は、ユーザの身体に装着可能であり、
当該制御プログラムは、
前記端末に、
前記情報処理装置をログアウト状態とログイン状態との間で切り替えるための切替要求信号をユーザ操作に応じて前記情報処理装置に送信する切替要求信号送信機能を実現させるとともに、
前記情報処理装置に、
前記端末との間での前記無線通信の受信信号強度を測定する受信信号強度測定機能と、
前記切替要求信号が受信されたときに前記受信信号強度測定機能により測定される受信信号強度を切替閾値として記憶する閾値記憶機能と、
前記受信信号強度測定機能により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御機能と、
を実現させることを特徴とする制御プログラム。
＜請求項１５＞
請求項１４記載の制御プログラムにおいて、
前記切替要求信号送信機能は、
ユーザ操作に応じて、前記情報処理装置をログイン状態からログアウト状態に切り替えるためのログアウト切替要求信号を前記情報処理装置に送信するログアウト切替要求信号送信機能と、
ユーザ操作に応じて、前記情報処理装置をログアウト状態からログイン状態に切り替えるためのログイン切替要求信号を前記情報処理装置に送信するログイン切替要求信号送信機能と、
を有し、
前記閾値記憶機能では、
前記ログアウト切替要求信号が受信されたときに前記受信信号強度測定機能により測定される受信信号強度をログアウト用の前記切替閾値として記憶するとともに、前記ログイン切替要求信号が受信されたときに前記受信信号強度測定機能により測定される受信信号強度をログイン用の前記切替閾値として記憶する機能を前記情報処理装置に実現させ、
前記ログアウト・ログイン制御機能では、
前記受信信号強度測定機能により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替える機能を前記情報処理装置に実現させることを特徴とする制御プログラム。
＜請求項１６＞
請求項１５記載の制御プログラムにおいて、
前記閾値記憶機能では、
前記情報処理措置で前記ログアウト切替要求信号が複数回受信された場合に、各ログアウト切替要求信号が受信されたときに前記受信信号強度測定機能により測定される受信信号強度のうち、最小の受信信号強度を前記ログアウト用の切替閾値として記憶するとともに、
前記情報処理措置で前記ログイン切替要求信号が複数回受信された場合に、各ログイン切替要求信号が受信されたときに前記受信信号強度測定機能により測定される受信信号強度のうち、最小の受信信号強度を前記ログイン用の切替閾値として記憶する機能を前記情報処理装置に実現させることを特徴とする制御プログラム。
＜請求項１７＞
請求項１４〜１６の何れか一項に記載の制御プログラムにおいて、
前記情報処理装置に、
ログアウト状態からログイン状態への切り替え時に、前回のログイン状態からログアウト状態への切り替え時に前記情報処理装置で実行されていた処理内容をレジュームするレジューム機能を実現させることを特徴とする制御プログラム。
＜請求項１８＞
請求項１４〜１７の何れか一項に記載の制御プログラムにおいて、
前記端末は、
暗号キー及び復号キーを記憶するキー記憶部を有し、
前記情報処理装置は、
ファイルを記憶するファイル記憶部を有し、
当該制御プログラムは、
前記情報処理装置に、
前記端末から送信される暗号キーを用い、ログイン状態からログアウト状態への切り替え時に、この時点で開いているファイルを暗号化して前記ファイル記憶部に記憶させる暗号化機能と、
前記端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化機能と、
を実現させることを特徴とする制御プログラム。
＜請求項１９＞
請求項１４〜１８の何れか一項に記載の制御プログラムにおいて、
前記情報処理装置に、
前記閾値記憶機能で前記情報処理装置に記憶された前記切替閾値を、ユーザ操作に基づいて変更する切替閾値変更機能を実現させることを特徴とする制御プログラム。
【手続補正３】
【補正対象書類名】特許請求の範囲
【補正対象項目名】全文
【補正方法】変更
【補正の内容】
【特許請求の範囲】
【請求項１】
情報処理装置と、前記情報処理装置との間で無線通信を行う端末と、を備え、前記情報処理装置の状態を制御する制御システムにおいて、
前記端末は、ユーザの身体に装着可能であるとともに、
前記情報処理装置をログアウト状態とログイン状態との間で切り替えるための切替要求信号をユーザ操作に応じて前記情報処理装置に送信する切替要求信号送信部を有し、
前記情報処理装置は、
前記端末との間での前記無線通信の受信信号強度を測定する受信信号強度測定部と、
前記切替要求信号が受信されたときに前記受信信号強度測定部により測定される受信信号強度を切替閾値として記憶する閾値記憶部と、
前記受信信号強度測定部により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御部と、
を有することを特徴とする制御システム。
【請求項２】
請求項１記載の制御システムにおいて、
前記切替要求信号送信部は、
ユーザ操作に応じて、前記情報処理装置をログイン状態からログアウト状態に切り替えるためのログアウト切替要求信号を前記情報処理装置に送信するログアウト切替要求信号送信部と、
ユーザ操作に応じて、前記情報処理装置をログアウト状態からログイン状態に切り替えるためのログイン切替要求信号を前記情報処理装置に送信するログイン切替要求信号送信部と、
を有し、
前記閾値記憶部は、
前記ログアウト切替要求信号が受信されたときに前記受信信号強度測定部により測定される受信信号強度をログアウト用の前記切替閾値として記憶するとともに、前記ログイン切替要求信号が受信されたときに前記受信信号強度測定部により測定される受信信号強度をログイン用の前記切替閾値として記憶し、
前記ログアウト・ログイン制御部は、
前記受信信号強度測定部により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御システム。
【請求項３】
請求項２記載の制御システムにおいて、
前記閾値記憶部は、
前記情報処理装置で前記ログアウト切替要求信号が複数回受信された場合に、各ログアウト切替要求信号が受信されたときに前記受信信号強度測定部により測定される受信信号強度のうち、最小の受信信号強度を前記ログアウト用の切替閾値として記憶するとともに、
前記情報処理装置で前記ログイン切替要求信号が複数回受信された場合に、各ログイン切替要求信号が受信されたときに前記受信信号強度測定部により測定される受信信号強度のうち、最小の受信信号強度を前記ログイン用の切替閾値として記憶することを特徴とする制御システム。
【請求項４】
請求項１〜３の何れか一項に記載の制御システムにおいて、
前記情報処理装置は、
ログアウト状態からログイン状態への切り替え時に、前回のログイン状態からログアウト状態への切り替え時に実行されていた処理内容をレジュームするレジューム部を有することを特徴とする制御システム。
【請求項５】
請求項１〜４の何れか一項に記載の制御システムにおいて、
前記端末は、
暗号キー及び復号キーを記憶するキー記憶部を有し、
前記情報処理装置は、
ファイルを記憶するファイル記憶部と、
前記端末から送信される暗号キーを用い、ログイン状態からログアウト状態への切り替え時に、この時点で開いているファイルを暗号化して前記ファイル記憶部に記憶させる暗号化部と、
前記端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化部と、
を有することを特徴とする制御システム。
【請求項６】
請求項１〜５の何れか一項に記載の制御システムにおいて、
前記情報処理装置は、
前記閾値記憶部に記憶された前記切替閾値を、ユーザ操作に基づいて変更する切替閾値変更部を有することを特徴とする制御システム。
【請求項７】
請求項１〜６の何れか一項に記載の制御システムにおいて、
前記情報処理装置は、
ネットワークを介してサーバと通信可能な通信部と、
前記サーバへのアクセスを行うサーバアクセスアプリケーションを実行するサーバアクセスアプリケーション実行部と、
ログアウト状態からログイン状態への切り替え時に、前記サーバアクセスアプリケーション実行部に前記サーバアクセスアプリケーションを実行させ、前記サーバに対してログインするサーバログイン制御部と、
を有することを特徴とする制御システム。
【請求項８】
情報処理装置と、前記情報処理装置との間で無線通信を行う端末と、を備えるシステムで前記情報処理装置の状態を制御する制御方法において、
前記端末として、ユーザの身体に装着可能なものを用い、
前記情報処理装置をログアウト状態とログイン状態との間で切り替えるための切替要求信号をユーザ操作に応じて前記端末から前記情報処理装置に送信させる切替要求信号送信ステップと、
前記情報処理装置に前記端末との間での前記無線通信の受信信号強度を測定させる受信信号強度測定ステップと、
前記情報処理装置で前記切替要求信号が受信されたときに前記受信信号強度測定ステップにより測定される受信信号強度を切替閾値として前記情報処理装置に記憶させる閾値記憶ステップと、
前記受信信号強度測定ステップにより測定される受信信号強度が前記切替閾値未満になったときに前記情報処理装置をログイン状態からログアウト状態に切り替え、当該受信信号強度が前記切替閾値以上になったときに前記情報処理装置をログアウト状態からログイン状態に切り替えるログアウト・ログイン制御ステップと、
を含むことを特徴とする制御方法。
【請求項９】
請求項８記載の制御方法において、
前記切替要求信号送信ステップは、
ユーザ操作に応じて、前記情報処理装置をログイン状態からログアウト状態に切り替えるためのログアウト切替要求信号を前記端末から前記情報処理装置に送信させるログアウト切替要求信号送信ステップと、
ユーザ操作に応じて、前記情報処理装置をログアウト状態からログイン状態に切り替えるためのログイン切替要求信号を前記端末から前記情報処理装置に送信させるログイン切替要求信号送信ステップと、
を有し、
前記閾値記憶ステップでは、
前記情報処理装置で前記ログアウト切替要求信号が受信されたときに前記受信信号強度測定ステップにより測定される受信信号強度をログアウト用の前記切替閾値として記憶させるとともに、前記情報処理装置で前記ログイン切替要求信号が受信されたときに前記受信信号強度測定ステップにより測定される受信信号強度をログイン用の前記切替閾値として記憶させ、
前記ログアウト・ログイン制御ステップでは、
前記受信信号強度測定ステップにより測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替えることを特徴とする制御方法。
【請求項１０】
請求項９記載の制御方法において、
前記閾値記憶ステップでは、
前記情報処理装置で前記ログアウト切替要求信号が複数回受信された場合に、各ログアウト切替要求信号が受信されたときに前記受信信号強度測定ステップにより測定される受信信号強度のうち、最小の受信信号強度を前記ログアウト用の切替閾値として記憶させるとともに、
前記情報処理装置で前記ログイン切替要求信号が複数回受信された場合に、各ログイン切替要求信号が受信されたときに前記受信信号強度測定ステップにより測定される受信信号強度のうち、最小の受信信号強度を前記ログイン用の切替閾値として記憶させることを特徴とする制御方法。
【請求項１１】
請求項８〜１０の何れか一項に記載の制御方法において、
前記情報処理装置のログアウト状態からログイン状態への切り替え時に、前回のログイン状態からログアウト状態への切り替え時に前記情報処理装置で実行されていた処理内容を当該情報処理装置にレジュームさせるレジュームステップを含むことを特徴とする制御方法。
【請求項１２】
請求項８〜１１の何れか一項に記載の制御方法において、
前記端末として、
暗号キー及び復号キーを記憶するキー記憶部を有するものを用い、
前記情報処理装置として、
ファイルを記憶するファイル記憶部を有するものを用い、
前記情報処理装置に前記端末から送信される暗号キーを使用させ、ログイン状態からログアウト状態への切り替え時に、この時点で開いているファイルを暗号化して前記ファイル記憶部に記憶させる暗号化ステップと、
前記情報処理装置に前記端末から送信される復号キーを使用させ、ログアウト状態からログイン状態への切り替え時に、前回のログイン状態からログアウト状態への切り替え時に開いていたファイルを前記ファイル記憶部から読み出し、復号化して開かせる復号化ステップと、
を含むことを特徴とする制御方法。
【請求項１３】
請求項８〜１２の何れか一項に記載の制御方法において、
前記閾値記憶ステップで前記情報処理装置に記憶された前記切替閾値を、ユーザ操作に基づいて変更する切替閾値変更ステップを含むことを特徴とする制御方法。
【請求項１４】
情報処理装置と、前記情報処理装置との間で無線通信を行う端末と、を備えるシステムで前記情報処理装置の状態を制御する制御プログラムにおいて、
前記端末は、ユーザの身体に装着可能であり、
当該制御プログラムは、
前記端末に、
前記情報処理装置をログアウト状態とログイン状態との間で切り替えるための切替要求信号をユーザ操作に応じて前記情報処理装置に送信する切替要求信号送信機能を実現させるとともに、
前記情報処理装置に、
前記端末との間での前記無線通信の受信信号強度を測定する受信信号強度測定機能と、
前記切替要求信号が受信されたときに前記受信信号強度測定機能により測定される受信信号強度を切替閾値として記憶する閾値記憶機能と、
前記受信信号強度測定機能により測定される受信信号強度が前記切替閾値未満になったときに当該情報処理装置をログイン状態からログアウト状態に切り替え、当該受信信号強度が前記切替閾値以上になったときに当該情報処理装置をログアウト状態からログイン状態に切り替えるログアウト・ログイン制御機能と、
を実現させることを特徴とする制御プログラム。
【請求項１５】
請求項１４記載の制御プログラムにおいて、
前記切替要求信号送信機能は、
ユーザ操作に応じて、前記情報処理装置をログイン状態からログアウト状態に切り替えるためのログアウト切替要求信号を前記情報処理装置に送信するログアウト切替要求信号送信機能と、
ユーザ操作に応じて、前記情報処理装置をログアウト状態からログイン状態に切り替えるためのログイン切替要求信号を前記情報処理装置に送信するログイン切替要求信号送信機能と、
を有し、
前記閾値記憶機能では、
前記ログアウト切替要求信号が受信されたときに前記受信信号強度測定機能により測定される受信信号強度をログアウト用の前記切替閾値として記憶するとともに、前記ログイン切替要求信号が受信されたときに前記受信信号強度測定機能により測定される受信信号強度をログイン用の前記切替閾値として記憶する機能を前記情報処理装置に実現させ、
前記ログアウト・ログイン制御機能では、
前記受信信号強度測定機能により測定される受信信号強度が前記ログアウト用の切替閾値未満になったときに前記情報処理装置をログイン状態からログアウト状態に切り替え、当該受信信号強度が前記ログイン用の切替閾値以上になったときに前記情報処理装置をログアウト状態からログイン状態に切り替える機能を前記情報処理装置に実現させることを特徴とする制御プログラム。
【請求項１６】
請求項１５記載の制御プログラムにおいて、
前記閾値記憶機能では、
前記情報処理措置で前記ログアウト切替要求信号が複数回受信された場合に、各ログアウト切替要求信号が受信されたときに前記受信信号強度測定機能により測定される受信信号強度のうち、最小の受信信号強度を前記ログアウト用の切替閾値として記憶するとともに、
前記情報処理措置で前記ログイン切替要求信号が複数回受信された場合に、各ログイン切替要求信号が受信されたときに前記受信信号強度測定機能により測定される受信信号強度のうち、最小の受信信号強度を前記ログイン用の切替閾値として記憶する機能を前記情報処理装置に実現させることを特徴とする制御プログラム。
【請求項１７】
請求項１４〜１６の何れか一項に記載の制御プログラムにおいて、
前記情報処理装置に、
ログアウト状態からログイン状態への切り替え時に、前回のログイン状態からログアウト状態への切り替え時に前記情報処理装置で実行されていた処理内容をレジュームするレジューム機能を実現させることを特徴とする制御プログラム。
【請求項１８】
請求項１４〜１７の何れか一項に記載の制御プログラムにおいて、
前記端末は、
暗号キー及び復号キーを記憶するキー記憶部を有し、
前記情報処理装置は、
ファイルを記憶するファイル記憶部を有し、
当該制御プログラムは、
前記情報処理装置に、
前記端末から送信される暗号キーを用い、ログイン状態からログアウト状態への切り替え時に、この時点で開いているファイルを暗号化して前記ファイル記憶部に記憶させる暗号化機能と、
前記端末から送信される復号キーを用い、ログアウト状態からログイン状態への切り替え時に、前回のログイン状態からログアウト状態への切り替え時に開いていたファイルを前記ファイル記憶部から読み出し、復号化して開く復号化機能と、
を実現させることを特徴とする制御プログラム。
【請求項１９】
請求項１４〜１８の何れか一項に記載の制御プログラムにおいて、
前記情報処理装置に、
前記閾値記憶機能で前記情報処理装置に記憶された前記切替閾値を、ユーザ操作に基づいて変更する切替閾値変更機能を実現させることを特徴とする制御プログラム。